(57)【要約】【課題】飲食物メニュー商品の電子的なデータを取り扱うシステムにおいて、非接触型ＩＣモジュールを表出させることなく飲食物メニュー表に埋め込み、顧客が操作する読み取り機器で商品情報を読み取ることができるようにし、飲食物メニュー表の紙面上の美観を損なうことなくデザインやレイアウトを整えて目視での商品選択が容易に行なえるようにする。【解決手段】表面に飲食物商品の品名、画像、価格などの情報が記載されている表示部３を複数有したシートからなるメニュー表であり、シート２の内部に、アンテナとこのアンテナに接続されたＩＣチップとからなり非接触状態でデータの送受信が可能に設けられている非接触型ＩＣモジュール５が表示部３それぞれに対応する位置にして埋設され、表示部３に表示された商品の情報からなるデータを、表示部３下の非接触型ＩＣモジュール５に記録した。【選択図】図２
2008021183.tif 000002
【特許請求の範囲】
【請求項１】
表面に飲食物商品の品名、画像、価格などの情報が記載されている表示部を複数有したシートからなるメニュー表であって、前記シートの内部に、アンテナとこのアンテナに接続されたＩＣチップとからなり非接触状態でデータの送受信が可能に設けられている非接触型ＩＣモジュールが表示部それぞれに対応する位置にして埋設され、表示部に表示された商品の情報からなるデータが、該表示部下の前記非接触型ＩＣモジュールに記録されていることを特徴とする飲食物メニュー表。
【請求項２】
上記表示部の上面に透明で導電性のある保護層が設けられている請求項１に記載の飲食物メニュー表。
【発明の詳細な説明】
【技術分野】
【０００１】
本発明はレストランや回転寿司店舗などにおいて顧客テーブル側から顧客自身が端末を操作して各種の飲食物の注文を行なえるようにした注文方法に利用できる飲食物メニュー表に関するものである。
【背景技術】
【０００２】
従来から、製品に製品情報などのデータを表すバーコードを付与し、このバーコードを専用のバーコードリーダで読み取るようにすることにより製品情報の入力作業を省力化し、その製品の在庫管理や配送管理などを確実なものとする方法が提案され、実施されてきている。
また、一方、飲食店などにおいても顧客から受ける注文を電子的なデータとするため、商品とその商品に係る情報を示すバーコードとを並べて掲載した飲食物メニュー表があり、店員ばかりでなく顧客自体がその飲食物メニュー表のバーコードを専用のバーコードリーダに読み取らせ、読み取ったデータを所定部門に送信するなどの方法が各種提案されている（特許文献１、２参照）。
【特許文献１】特開平０６−２２５００６号公報
【特許文献２】特開２００３−１７８１２４号公報
【発明の開示】
【発明が解決しようとする課題】
【０００３】
ところで、一般的に、飲食物メニュー表にあっては顧客が商品情報を目視にて理解し易いように表現されている場合が多く、特にファミリーレストランなどの家族向け飲食店で用いるメニューでは、一商品情報を商品名と価格と商品画像などで構成しながらも、紙面上での商品情報の位置を工夫して見易くし、かつ、注文意欲をそそるように、美観に優れたデザインやレイアウトとしている。
しかしながら、上述したバーコードを利用する飲食物メニュー表では、印刷からなる黒の縞模様状のバーコードが商品情報の一部分に含まれ、紙面上の複数個所にこの黒の縞模様部分が配置されることになり、このバーコードを設けないものと比べると紙面のデザインが変わって美観が大きく損なわれてしまうという問題がある。すなわち、本来、光学的機械読み取り用に開発されたバーコードや二次元コードでは、人間の視覚には何ら意味の無い模様であり、デザイン的にはメニュー表の意匠性を損なうばかりでなく、レイアウト的にはメニューに関連する商品情報のスペースを制限してしまう。
そこで本発明は上記事情に鑑み、アンテナとＩＣチップとからなり非接触状態でデータの送受信が可能な非接触型ＩＣモジュールを表出させることなく飲食物メニュー表の基材部分などに埋め込み、顧客が操作する読み取り機器でその非接触型ＩＣモジュールから商品情報を読み取ることができるようにすることを課題とし、飲食物メニュー商品の電子的なデータを取り扱うシステムにおいて、飲食物メニュー表の紙面上の美観を損なうことなくデザインやレイアウトを整えて目視での商品選択が容易に行なえるようにすることを目的とするものである。
【課題を解決するための手段】
【０００４】
本発明は上記課題を考慮してなされたもので、表面に飲食物商品の品名、画像、価格などの情報が記載されている表示部を複数有したシートからなるメニュー表であって、前記シートの内部に、アンテナとこのアンテナに接続されたＩＣチップとからなり非接触状態でデータの送受信が可能に設けられている非接触型ＩＣモジュールが表示部それぞれに対応する位置にして埋設され、表示部に表示された商品の情報からなるデータが、該表示部下の前記非接触型ＩＣモジュールに記録されていることを特徴とする飲食物メニュー表を提供して、上記課題を解消するものである。
そして、本発明において、上記表示部の上面に透明で導電性のある保護層が設けられているものとすることが良好である。
【発明の効果】
【０００５】
本発明の請求項１記載の飲食物メニュー表によれば、非接触状態でデータの送受信が可能である非接触型ＩＣモジュールがシートに埋設され、その非接触型ＩＣモジュールが表示部の商品の情報からなるデータを有しているので、読み出し機器をその表示部に近接させたり当てたりすることでその商品のデータが読み出すことができる。そして、シート上の各表示部には商品の品名、画像、価格などの人が目視にて理解できる情報のみであればよく、各商品の情報が見易くなり、美観を損なうこともなく、実用性に優れた効果を奏するものである。
ただし、利用者がメニュー表から商品を選択する際、近接させて読み取らせる方式でも構わないが、好ましくは、所望の商品の表示部に当接させるのが良い。これは、利用者が非接触型リーダのセンサ部を他の表示部に誤って近接させ、別の商品を誤読させてしまう可能性があるからである。したがって、明確に表示部に当接させた場合にのみ読み取り可能にする構成が好ましい。
そこで、本発明の請求項２記載の飲食物メニュー表によれば、上記表示部の上面に透明で導電性のある保護層を設けたことにより、その保護層が導電性を有するものであるため、非接触型リーダは、当接時のみ、その保護層を介した導通状態の確保でデータの読み取り動作を行なわせるシステムとすることができ、飲食物メニュー表を取り扱う利用者が商品を選択するときに、その利用者に非接触型リーダを当接させる操作を意識させて、データの読み取り操作をより確実に行なわせることができる。また、保護層が透明であるが故に、その表示部の目視できる情報が損なわれないなどと言った効果を奏する。
【発明を実施するための最良の形態】
【０００６】
つぎに本発明を図示の実施の形態に基づいて詳細に説明する。
図中１は飲食物メニュー表で、該飲食物メニュー表１は図１に示すようにシート２の片面の複数の表示部３が印刷にて形成されていて、表示部３それぞれは商品の品名と商品の形態を表す写真や絵などの画像と商品の価格とからなる情報４を有してなるものであり、この情報４は人が目視して表示内容を理解できる形態に構成されている。また、前記シート３の内部に、非接触型ＩＣモジュール５が表示部３それぞれに対応する位置にして埋設されている。例えば、図２に示されているようにシート２は、上紙６と下紙７とを、前記表示部３に対応する部分で空所８となるようにして接着剤９を介して接着してなるものであり、前記空所８に非接触型ＩＣモジュール５を位置させ、非接触型ＩＣモジュール５自体が外部に表出しないように埋設した状態としている。
このように飲食物メニュー表１では非接触型モジュール５を内部に有しているものであるため、ＲＦＩＤ（Ｒａｄｉｏ  Ｆｒｅｑｕｅｎｃｙ  ＩＤｅｎｔｉｆｉｃａｔｉｏｎ） と称される無線通信での電子データの交信を行なって個別識別を実施できる機能を有しているものとなっている。なお、図１では前記空所８の位置のみを破線で示しており、説明を容易にするためにこの図１では前記非接触型ＩＣモジュール５を示していない。
【０００７】
非接触型ＩＣモジュール５は、上記空所８における上紙６の裏面に形成されたアンテナ１０に、このアンテナ１０の端部の間に跨るようにしてバンプ１１を介してＩＣチップ１２を実装し、上述したように非接触状態でデータ（電子データ）の送受信が可能に設けられているものである。このアンテナ１０は、通常、カーボンや黒鉛、銀粉やアルミ粉、あるいはこれらの混合体をインキビヒクルに分散してなる導電性インキを使用するため、メニュー表の表示部印刷などと同様に、オフセット印刷やグラビア印刷などにて形成でき、また、近接時あるいは当接時のアンテナ部とセンサ部との読み取り距離や読み取り領域を鑑みながら、その形状（直線状、渦巻き状、羽状などのアンテナパターン）やサイズ（長さ、面積など）が調整されている。前記ＩＣチップ１２はデータの読み書き（データ呼び出し・登録・削除・更新など）が可能とされ、この非接触型ＩＣモジュール５から後述の非接触型リーダ（データ読み取り端末）によりデータを読み出すことができるように設けられている。前記ＩＣチップ１２自体も接着剤９で上紙６に対して接着固定されている。なお、このＩＣチップ１２の接着固定に用いられる接着剤９は上下紙を貼り合わせる接着剤９と同じ素材である必要はない。特に、バンプ１１とアンテナ１０とは、異方導電性接着剤を介して接着することにより、ＩＣチップ１２へは垂直方向にのみ導通した接続が得られる。本発明においては表示部３の下に埋め込まれている非接触型ＩＣモジュール５には、その表示部３で示している商品の情報４がデータ（電子データ）として記録されていて、前記非接触型リーダを用いることでその表示部３の商品に係るデータを読み取ることができる。
なお、ＲＦＩＤにおいて非接触でデータ交信をする場合、近接読み取り方式では、必ず非接触型ＩＣモジュールとデータ読み取り端末とが所定間隔（空中誤読防止のため、好ましくは１０ｍｍ以内）を保持しているが、本発明において非接触型リーダが読み取り対象物、即ち本飲食物メニュー表に当接している場合でも、シートの厚みとＲＦＩＤリーダにおけるセンサ部の取り付け位置の調整などにより、センサ部とアンテナ部とは所定間隔を保持するように構成されている。
【０００８】
図３は、この本発明の飲食物メニュー表１の各表示部３からその表示部３に示されている商品の情報を読み取る非接触型リーダ１３の一例を示している。図示されているようにこの非接触型リーダ１３は先端に突没可能に設けられた押圧スイッチ１４がオンオフ制御回路１５を介してセンサ部１６に接続されていて、前記押圧スイッチ１４が没するように先端を飲食物メニュー表１に当接させることでその押圧スイッチ１４が閉じ、この押圧スイッチ１４の閉時にセンサ部１６が動作するように設けられている。そのため、非接触型リーダ１３の先端を表示部３に当接させることで、その表示部３で表現されている商品の情報が表示部３の下の非接触型ＩＣモジュール５から非接触型リーダ１３が読み取るように設けられている。なお、非接触型リーダ１３の読み取り範囲は限定されており、一つの表示部３に当接しているときに隣接の表示部３側のデータを読み取ることがないよう、読み取り領域が設定されており、この設定は、一の表示部と隣接する他の表示部との間隔を鑑みながら、上述したアンテナの形状およびサイズの調整によって成される。さらに、表示部それぞれに対応するＩＣモジュールは必ずしも一つに限らず、同じ情報が記録された複数のＩＣモジュールを連設させて、所定の読み取り領域を設定してもよい。
このようにして非接触型リーダ１３が読み取ったデータは、有線、または無線にて図示しない制御部に送信され、データの処理がなされる。非接触型リーダ１３はデータが記録されている上記ＩＣチップに電気的接続を行なうことなくデータの読み取りを行なっており、表示部に当接させてはいるが、上述したように非接触であることに変わりはない。
【０００９】
図４は他の例を示していて、表示部３の表面に透明で導電性のある保護層１７を設けており、表示部３の上面に非接触型リーダ１３が当接することによるその表示部３の損傷を防止するようにしているものである。さらに、この例では保護層１７を、導電性のあるものとしているため、図５に示すように非接触型リーダ１３を、先端に対の導通端子１８を突出させてこれらをオンオフ制御回路１５に接続して導通端子１８の両者を共に保護層１７に当接したときにオンオフ制御回路１５が閉じ、オンオフ制御回路１５が閉時となっている状態でセンサ部１６が動作して、非接触型ＩＣモジュール５からデータを読み取るようにしているものである。
【図面の簡単な説明】
【００１０】
【図１】本発明に係る飲食物メニュー表の一例を示す説明図である。
【図２】一例を断面で示す説明図である。
【図３】非接触型リーダの一例の構成を概略的に示す説明図である。
【図４】他の例を断面で示す説明図である。
【図５】非接触型リーダの他の例の構成を概略的に示す説明図である。
【符号の説明】
【００１１】
１…飲食物メニュー表
２…シート
３…表示部
４…情報
５…非接触型ＩＣモジュール
６…上紙
７…下紙
８…空所
９…接着剤
１０…アンテナ
１１…バンプ
１２…ＩＣチップ
１３…非接触型リーダ
１４…押圧スイッチ
１５…オンオフ制御回路
１６…センサ部
１７…保護層
【図１】
2008021183.tif 000003
【図２】
2008021183.tif 000004
【図３】
2008021183.tif 000005
【図４】
2008021183.tif 000006
【図５】
2008021183.tif 000007